(57)【要約】【課題】  パネルサイズが大きくなっても、縦縞が視認され難くする。周辺回路のコストを上げたり、ジャギを発生させたりすることなく、縦縞による表示品位の低下を抑制する。【解決手段】  表示装置はマトリクス状に配列された複数の画素１を有する。画素１は一つの赤絵素２、二つの緑絵素３ａ，３ｂおよび二つの青絵素４ａ，４ｂから構成され、二つの緑絵素および二つの青絵素は行方向に緑青緑青また青緑青緑の順で配列している。緑絵素３ａ，３ｂおよび青絵素４ａ，４ｂのそれぞれの開口率は赤絵素２の開口率の約１／２である。画素１に含まれる同色の絵素（例えば二つの緑絵素３ａ，３ｂ）は同じ信号により駆動される。【選択図】  図２
2005195641.tif 000002
【特許請求の範囲】
【請求項１】
マトリクス状に配列された複数の画素を有する表示装置であって、
前記画素は一つの赤絵素、二つの緑絵素および二つの青絵素から構成され、前記二つの緑絵素および前記二つの青絵素は行方向に緑青緑青また青緑青緑の順で配列し、前記緑絵素および前記青絵素のそれぞれの開口率は前記赤絵素の開口率の約１／２であり、前記画素に含まれる同色の前記絵素は同じ信号により駆動される表示装置。
【請求項２】
前記画素は正方形状である請求項１に記載の表示装置。
【請求項３】
行方向に隣接する前記絵素の極性が互いに異なる請求項１または２記載の表示装置。
【発明の詳細な説明】
【技術分野】
【０００１】
本発明は、液晶表示装置（ＬＣＤ）、プラズマ表示装置（ＰＤＰ）、無機または有機エレクトロルミネッセンス（ＥＬ）表示装置、発光ダイオード（ＬＥＤ）表示装置、蛍光表示管、電界放出型表示装置、電気泳動表示装置、エレクトロクロミック表示装置、陰極線管（ＣＲＴ）表示装置などの表示装置に関する。
【背景技術】
【０００２】
図７は一般的な画素の概略平面図である。画素１０１は、赤絵素１０２、緑絵素１０３および青絵素１０４から構成される。各絵素１０２，１０３，１０３は対応するソース信号線（不図示）に電気的に接続されている。この画素をストライプ状に繰り返し並べたストライプ配列が一般的である。ストライプ配列では、一本のソース信号線は縦一列のストライプ絵素を駆動する。画素のサイズ（ピッチ）は表示パネルの大きさと解像度により決定される。例えば、解像度が６４０本×４８０本のＶＧＡ（Video Graphics Array）クラスのディスプレイの場合、対角が１５インチであれば一画素のサイズは４７６μｍとなるのに対して、対角が２０インチであれば一画素のサイズは６８０μｍとなる。
【０００３】
一般に人間の目は緑色の視感度が高く、赤緑青の三原色の明度比率は概ね５：１２：２である。またストライプ配列では、同一色の絵素が縦方向に配列する。したがって、白の表示を全面に行なった場合、明度の低い青と明度の高い緑のストライプが周期的に並ぶことになり、近くから見るとそれが縦縞状に視認されることになる。画素サイズ（ピッチ）の小さな小型パネルサイズの場合は、赤、緑、青の三絵素が完全に混じり合って均一な灰色に見える。しかし、パネルサイズが大きくなり、ドットピッチが大きくなると、パネルから離れて見ても、その縦縞が視認され、表示品位を損なうこととなる。
【０００４】
ストライプ配列による縦縞の発生は、デルタ配列、モザイク配列あるいは特許文献１などに開示されたスクエア配列を採用することによってある程度緩和されるが、縦縞が横縞や斜め縞となるだけで、根本的な解決には至らない。さらに、テキスト表示やベクトル画像のようにエッジがはっきりとした画像の場合、エッジに色付きが発生するので、パソコンモニタやコンピューターグラフィックス用途では問題となる。
【特許文献１】特開平6-102503号公報
【発明の開示】
【発明が解決しようとする課題】
【０００５】
上記の課題を解決する手段として、画素の横解像度を二倍に高める方法、すなわち画素に含まれる絵素ピッチの幅を１／２にする方法が想定される。図８は、画素の横解像度を二倍に高めた配列を示す図である。図８に示す画素２０１は、赤緑青の三色の絵素が二組並んで構成されている。すなわち、赤緑青赤緑青の六つの絵素から一画素が構成されている。この画素配列を採用することにより、各絵素ピッチが小さくなるので、縦縞による表示品位の低下を抑制することができる。
【０００６】
しかし、画素に含まれる絵素の数が二倍になると、絵素に入力される信号数も二倍になるので、信号線駆動回路（ソースドライバ）の数が増加するなど周辺回路のコストアップのデメリットが生じる。また、表示装置の解像度以下の解像度を持つ信号をその表示装置に入力する場合、例えばＶＧＡの解像度を持つ信号をＸＧＡ（eXtended Graphics Array
）の表示パネルに入力する場合、画像処理によって信号の解像度を上げる必要があるので、さらに余分な回路が必要となる。
【０００７】
さらに、図８に示す画素配列では、人間の目に対して視感度の高い二つの緑絵素２０３ａ，２０３ｂが青絵素および赤絵素を挟んで配列される。したがって、図７に示す一般的な絵素の１ピッチ分だけ離れて、視感度の高い二つの緑絵素２０３ａ，２０３ｂが配列することになるので、ジャギが発生し易いというデメリットもある。図９は、図８の画素を用いて斜め線を表示させた状態を模式的に示す図である。図９に示すように、一画素に含まれる二つの緑絵素２０３ａ，２０３ｂが離れているので、斜め線Ｌが階段状（ギザギザ状）に見えるおそれがある。
【０００８】
本発明の目的の１つは、パネルサイズが大きくなっても、縦縞が視認され難くすることである。本発明の他の目的は、周辺回路のコストを上げたり、ジャギを発生させたりすることなく、縦縞による表示品位の低下を抑制することである。
【課題を解決するための手段】
【０００９】
縦縞の問題解決と横解像度の向上のために、縦縞の原因となる輝度の低い青絵素の開口率を小さくする。例えば、青絵素の開口率を赤絵素の開口率の約１／２にする。また輝度の低い青絵素の開口率を輝度の高い緑絵素の開口率と同じにし、行方向に緑青緑青また青緑青緑の順で配列する。各絵素が高さ（列方向におけるピッチ）の略等しいストライプ状である場合には、青絵素および緑絵素の幅（行方向におけるピッチ）を赤絵素の幅の約１／２にする。
【００１０】
このように絵素を配列することにより、白表示においてそれぞれ幅の狭い緑絵素と青絵素が混ざり合って見え、その色と赤との濃淡が感知されることになる。したがって、緑絵素と青絵素との輝度差が従来のストライプ配列よりも小さくなるので、縦縞の濃さが軽減されて見える。また、この画素配列では、人間の目に視感度の高い緑絵素が狭い間隔で二絵素に分離しているので、ジャギも生じ難い。
【００１１】
本発明において、画素に含まれる同色の絵素は同じ信号により駆動される。具体的には、各画素に含まれる二つの緑絵素には、駆動回路から出力された一つの緑絵素用信号が二つに分岐されて、二つの緑絵素に入力される。同様に、駆動回路から出力された一つの青絵素用信号が二つに分岐されて、二つの青絵素に入力される。これにより、画素に含まれる絵素の数が二倍になっても、駆動回路の数が増加させる必要がないので、周辺回路のコストアップを避けることができる。
【００１２】
本発明において、画素の形状は正方形であることが好ましい。言い換えれば、各絵素が高さの略等しいストライプ状であって、赤絵素の列方向と行方向とのピッチ比が概略１：３であるのに対して、緑絵素および青絵素の列方向と行方向とのピッチ比が概略１：６である。一般的には、表示画像が正方形の単位で分割されるので、画素が正方形でない場合には、表示画像の縦横比が崩れて、表示画像が縦長や横長になる。したがって、画素が正方形でない場合には、画素に入力される信号を補完する必要があるからである。
【００１３】
本発明において、行方向に隣接する絵素の極性が互いに異なることが好ましい。絵素に入力される信号極性が＋と−で均一に分散されるので、フリッカが生じ難い。また絵素を行方向に挟む信号線の極性は＋と−となるので、信号線と絵素とのカップリング容量（以下、Ｃsdと記す) の影響が常に＋と−でキャンセルされる。したがって、Ｃsdによる実効電圧変動がなく、表示むらが生じない。
【００１４】
なお、本明細書中において「行方向」および「列方向」は、相互に交差する二つの方向を意味し、必ずしも横方向と縦方向とを意味しない。また絵素の「開口率」は一画素の面積に対する一絵素の面積比である。ここで絵素の面積は実効的に表示に寄与している表示面積であり、一画素の面積は一画素を構成する絵素の面積の総和である。
【発明の効果】
【００１５】
本発明によれば、パネルサイズが大きくなっても、縦縞が視認され難くすることができる。また、周辺回路のコストを上げたり、ジャギを発生させたりすることなく、縦縞による表示品位の低下を抑制することができる。
【発明を実施するための最良の形態】
【００１６】
以下、図面を参照しながら本発明の実施形態を説明する。以下の実施形態では、液晶表示装置について説明するが、本発明の表示装置は、液晶表示装置だけでなく、無機または有機ＥＬ表示装置、ＰＤＰ、ＬＥＤ表示装置、蛍光表示管、電界放出型表示装置、電気泳動表示装置、エレクトロクロミック表示装置、ＣＲＴ表示装置などの各種の表示装置を包含する。
【００１７】
以下に示す参照符号において、同族的な構成要素を総括的に表すために、英字を省略して数字のみを表記することがある。例えば、第一緑絵素３ａおよび第二緑絵素３ｂを総括的に緑絵素３と表記することがある。
【００１８】
（実施形態１）
図１は実施形態１の液晶表示装置を模式的に示す部分断面図である。液晶表示装置は、液晶パネルと、液晶パネルを駆動するための駆動回路部と、透過型液晶表示装置であればバックライトなどの光源を有する。液晶パネルは、ＴＦＴ（Thin Film Transistor）基板１０と、これに対向配置されたＣＦ（カラーフィルタ）基板１１と、両基板１０，１１に挟まれた周辺シール材１２と、両基板１０，１１に挟まれ、かつ周辺シール材１２に囲まれた液晶層１３と、両基板１０，１１の外側面にそれぞれ貼り付けられた一対の偏光板１４，１５を有する。
【００１９】
ＴＦＴ基板１０は、行方向に延びる複数の走査線（不図示）と、走査線に交差して列方向に延びる複数の信号線５，６，７と、走査線および信号線５，６，７の交差部近傍に設けられたＴＦＴ（不図示）と、ＴＦＴを介して信号線５，６，７に接続され、マトリクス状に配置された絵素透明電極（以下、絵素電極ともいう）１６と、絵素透明電極１６を覆い、ポリイミドなどからなる液晶配向膜１７を有する。
【００２０】
ＣＦ基板１１は、赤緑青の三色のカラーフィルタ層２，３，４と、クロムや黒色樹脂からなる遮光層１８と、ＩＴＯ（インジウム錫酸化物）などからなる共通透明電極１９と、共通透明電極１９を覆う液晶配向膜２０を有する。
【００２１】
両基板１０，１１の材料としては、石英ガラスやソーダライムガラス、ホウケイ酸ガラス、低アルカリガラス、無アルカリガラスなどのガラス、ポリエステルやポリイミドなとのプラスチック、シリコンなどの半導体が挙げられる。
【００２２】
液晶パネルの製造工程について説明する。まずＴＦＴ基板１０の作成方法について説明する。スパッタリング法にて、ガラス基板上にTaあるいはTaMo合金で膜厚約100 〜200nm
の薄膜を形成した後、フォトエッチングプロセスにて所定パターンを有する走査線を作成する。その上にSiNx等の絶縁膜を形成した後、a-Si層およびエッチストッパ層（SiNx）の成膜を行い、フォトプロセスにてＴＦＴ素子を形成する。次に、Ti等でソースメタルを成膜し、フォトエッチングで所定パターンを有する信号線５，６，７やドレイン等の形成を行なう。さらにSi等の保護膜およびコンタクトホールを形成した後、ITO 膜を成膜し、フォトエッチングプロセスにて絵素電極１６を形成する。このように作成されたＴＦＴ基板１０の上に、ポリイミド系の液晶配向膜１７を印刷し、焼成して作成する。通常は、液晶配向膜１７の厚みは50〜100 nmの範囲で形成される。その後、回転布にて一方向にラビングを行なう。
【００２３】
次に、カラーフィルタ基板１１の作成方法について説明する。Cr（クロム）あるいは黒色樹脂のブラックマスク材料をガラス基板上に塗布し、フォトプロセスにて遮光層１８を形成する。赤緑青のそれぞれについて、カラーフィルタ膜のコーティング、フォトプロセスによる所定パターンの形成および焼成を行なって、赤緑青のカラーフィルタ層２，３，４を形成する。マスクを介してＩＴＯ膜を成膜することにより共通透明電極１９を形成する。ＴＦＴ基板１０と同様に、ＣＦ基板１１上に液晶配向膜２０を形成する。
【００２４】
ＴＦＴ基板１０またはＣＦ基板１１にスペーサ散布あるいは周辺シール材１２の印刷を行い、両基板１０，１１を貼り合せ、焼成を行なう。貼り合わされた基板をパネル単位に分断した後、作成されたパネルのセル内にＴＮ（Twisted Nematic ）液晶材料を注入し、封止する。パネルの両面に偏光板１４，１５を貼り付けて、液晶パネルが完成する。
【００２５】
本実施形態の液晶表示装置においては、絵素透明電極１６と絵素透明電極１６に対向する共通透明電極１９とが重畳する領域が絵素となる。厳密には、表示すべき状態に応じて電圧が印加される領域のうち、遮光層１８の開口部に対応する領域が絵素になる。この領域の面積が絵素の面積となる。以下、説明の便宜上、赤緑青の三色のカラーフィルタ層２，３，４に対応する各絵素を赤絵素２、緑絵素３および青絵素４と呼ぶ。また絵素透明電極１６を単に「絵素」と呼ぶこともある。なお、本発明の表示装置は、本実施形態で例示するアクティブマトリクス型液晶表示装置に限られず、例えば、単純マトリクス型液晶表示装置に適用することもできる。単純マトリクス型液晶表示装置においては、ストライプ状に設けられる列電極と、列電極に交差するストライプ状の行電極とが重畳するそれぞれの領域が絵素となる。
【００２６】
図２は本実施形態の液晶表示装置における画素配列の概略図である。本実施形態の液晶表示装置は、マトリクス状に配列された複数の画素１を有する。一画素１は、一つの赤絵素２、二つの緑絵素３ａ，３ｂおよび二つの青絵素４ａ，４ｂから構成され、各絵素２，３，４の高さが略等しい。二つの緑絵素３ａ，３ｂおよび二つの青絵素４ａ，４ｂは行方向に緑青緑青の順で配列している。緑絵素３ａ，３ｂおよび青絵素４ａ，４ｂのそれぞれの幅（行方向におけるピッチ）は赤絵素２の幅の約１／２である。また赤絵素２の幅は、高さ（列方向におけるピッチ）の概略１／３である。一方、緑絵素３ａ，３ｂおよび青絵素４ａ，４ｂの幅は、高さの概略１／６である。すなわち、一般的なストライプ配列における絵素の縦横比は概略１／３であるが、本実施形態の緑絵素３ａ，３ｂおよび青絵素４ａ，４ｂは、一般的な絵素よりも細長い形状である。
【００２７】
本実施形態による画素配列では、人間の目に視感度の高い第一緑絵素３ａおよび第二緑絵素３ｂが狭い間隔（第一青絵素４ａのピッチ分）を空けて配置されている。図３は、図２の画素１を用いて斜め線を表示させた状態を模式的に示す図である。図３と図９とを対比すれば明らかなように、本実施形態では一画素に含まれる二つの緑絵素３ａ，３ｂが図９の場合よりも近づいているので、二つの緑絵素３ａ，３ｂが一絵素（一ドット）に合わさったように視認される。したがって、斜め線Ｌが階段状（ギザギザ状）に認識され難くいので、ジャギが生じ難い。
【００２８】
本実施形態における駆動回路部は、外部から入力される信号に基づいて信号処理を行なう液晶コントローラ（不図示）と、液晶コントローラからの指示に基づいて映像信号を出力する信号線駆動回路（不図示）と、液晶コントローラからの指示に基づいて走査パルスを出力する走査線駆動回路（不図示）を有する。液晶コントローラは、ＴＣＰ（Tape Carrier Package）を介して液晶パネルに電気的に接続される。ＴＣＰには、信号線駆動回路や走査線駆動回路が実装されている。
【００２９】
図４は一画素に含まれる各絵素の極性を示す図である。各絵素２，３，４はそれぞれに対応する信号線５，６，７に電気的に接続され、信号線５，６，７からの映像信号が各ＴＦＴを介して入力される。詳細に述べると、それぞれが行方向に延びる複数の走査線には、水平走査期間ごとに走査線駆動回路から走査パルスが順次（例えば一行ごとに）印加される。走査パルスにより選択されたＴＦＴを介して、信号線駆動回路から信号線５，６，７を経由して供給される映像信号が対応の絵素２，３，４に入力される。なお、記載の簡略化のために、図４中の絵素間における信号線５，６，７の記載を省略している。
【００３０】
本実施形態では、信号線駆動回路から出力された映像信号が二つに分岐して、一画素に含まれる同色の絵素を駆動させる。言い換えれば、一画素に含まれる同色の絵素は、共通の信号により駆動される。具体的には、緑絵素３に映像信号を供給するための緑絵素用信号線６は、ＴＦＴ基板１上の表示領域（アクティブエリア）の外側で二つの信号線６ａ，６ｂに分岐している。二つの信号線６ａ，６ｂは、第一および第二の緑絵素３ａ，３ｂの絵素透明電極１６とそれぞれ電気的に接続されている。これにより、信号線駆動回路から出力された一つの映像信号が二つに分岐されて、第一および第二の緑絵素３ａ，３ｂを駆動させる。青絵素用信号線７についても同様に、それぞれ二つの信号線７ａ，７ｂに分岐している。
【００３１】
このように、信号線駆動回路から出力された一つの映像信号が二つに分岐することによって、縦縞による表示品位の低下を低減することができるとともに、信号線駆動回路の出力数を従来のものと同じにすることができる。したがって、周辺回路のコストアップを避けることができる。
【００３２】
信号線の分岐は、信号線駆動回路の端子部近辺で行なうことができる。この場合、分岐した信号線と他の信号線とが交差する箇所が生じる。図４を参照しながら具体的に説明する。例えば、緑絵素用信号線６から分岐した第２の緑絵素用信号線６ｂと、青絵素用信号線７から分岐した第１の青絵素用信号線７ａとが交差する箇所が生じる。両信号線６ｂ，７ａの交差箇所でのショートを回避するために、例えば第１の青絵素用信号線７ａ上に絶縁膜を形成し、この絶縁膜上を跨ぐように第２の緑絵素用信号線６ｂを形成することもできる。しかしこの方法では、ソースメタルのパターニング工程を２回行なう必要があるので、製造コストが上昇する。上記のＴＦＴ製造プロセスで、言い換えれば新たなプロセスを追加せずに、両信号線６ｂ，７ａの交差箇所でのショートを回避する方法について図５を参照しながら説明する。
【００３３】
図５は第２の緑絵素用信号線６ｂと第１の青絵素用信号線７ａとの交差部付近における製造プロセスを説明する模式的な平面図である。まず図５（ａ）に示すように、走査線の作成と同時に、ゲートメタルを用いて緑絵素用信号線６と第２の緑絵素用信号線６ｂとの接続部３０を形成する。図５（ｂ）に示すように、ゲート絶縁膜のパターニングと同時に、接続部３０上の信号線７ａが交差する領域に層間絶縁膜３１を形成する。次にソースメタルから信号線５，６，７を形成する。このとき、図５（ｃ）に示すように、両信号線６，６ｂが接続部３０を介して接続されるように、かつ信号線７ａが層間絶縁膜３１上を跨ぐように、ソースメタルのパターニングを行なう。なお、図５では、層間絶縁膜３１の領域を除いて接続部３０を露出させているが、接続部３０をゲート絶縁膜で覆い、コンタクトホールを介して両信号線６，６ｂが接続部３０に接続されるようにしても良い。
【００３４】
本実施形態では、信号線駆動回路の接続端子からアクティブエリアまでの額縁領域内で分岐配線を形成しているが、本発明はこれに限定されない。例えば、ガラス基板上に面積的な余裕がない場合、信号線駆動回路内やＴＣＰ内で分岐配線を形成しても良い。
【００３５】
次に、本実施形態の液晶表示装置の駆動方法について述べる。液晶表示装置は、表示特性上、交流駆動される必要があり、入力信号のリフレッシュレート毎にプラスマイナスの電圧極性を反転させている。さらに、この交流成分がフリッカとして認識されないようにするために、隣接する絵素間でプラスマイナスの電圧極性が逆となるように極性反転駆動が行われる。極性反転のパターンには、一走査ライン毎または一信号ライン毎に極性を反転させるライン反転駆動、一絵素毎に極性反転させるドット反転駆動がある。また、そのバリエーションとして、走査ライン沿いは一絵素毎、信号ライン沿いは二絵素毎（二水平走査期間の信号毎）に極性を反転させる２Ｈドット反転駆動などがある。これらドット反転駆動はクロストークに強いので、高表示品位を得やすい。
【００３６】
本実施形態の液晶表示装置では、赤緑青緑青の五つの絵素２，３，４で一画素を形成し、一画素内の同色の絵素には同じ極性の信号が入力される。したがって、図４に示すように、画素１の極性反転パターンは＋・−・＋・−・＋または−・＋・−・＋・−の二通りとなる。これら二通りのパターンは行方向に隣接させることが好ましい。言い換えれば、行方向に隣接する二つの画素１のうち一方の画素１に含まれる五つの絵素２，３，４の極性が＋・−・＋・−・＋であり、他方の画素１に含まれる五つの絵素２，３，４の極性が−・＋・−・＋・−であることが好ましい。これにより、行方向に隣接する絵素２，３，４間でプラスマイナスの極性を逆になる極性反転駆動が行なわれるので、表示周波数が１／２となり、フリッカが認識され難く、シャドーイング（電源ラインを介したクロストーク）が防止される。
【００３７】
図４に示す左の画素１では、赤絵素用信号線５から赤絵素２に、また青絵素用信号線７から第一および第二の青絵素４ａ，４ｂにそれぞれプラス極性の信号（電圧）が印加され、緑絵素用信号線６から第一および第二の緑絵素３ａ，３ｂにマイナス極性の信号（電圧）が印加されている。図４に示す極性は、各絵素２，３，４に接続されたＴＦＴがオンした状態、言い換えれば一水平走査期間の状態を表している。ＴＦＴがオン状態となっている走査線のスキャンに対応して、ある振幅を持った矩形波が各信号線５，６，７から各絵素２，３，４に印加される。各絵素２，３，４の極性は所定周期、例えば１フィールド期間ごとに反転する。
【００３８】
平面視において、各絵素２，３，４は、逆極性の電圧を供給する信号線５，６，７に挟まれている。例えば、赤絵素２は、プラスの極性の信号線５とマイナスの極性の信号線６ａに挟まれている。絵素２，３，４を平面視において行方向に挟む信号線５，６，７の極性が常に＋と−であるから、絵素の極性がプラスかマイナスかに関わらず、信号線５，６，７と絵素２，３，４とのＣsdの影響が常に＋と−でキャンセルされる。したがって、Ｃsdによる実効電圧変動がなく、表示むらが生じない。
【００３９】
（実施形態２）
実施形態１では、二つの緑絵素３ａ，３ｂおよび二つの青絵素４ａ，４ｂが行方向に緑青緑青の順で配列しているが、青緑青緑の順で配列していても良い。また実施形態１では、ストライプ配列の場合について、言い換えれば行方向に配列された五つの絵素２，３，４から一画素１が構成されている場合について説明した。本発明の表示装置は、ストライプ配列に限らず、デルタ配列やモザイク配列、スクエア配列を採用しても良い。
【００４０】
図６は、本実施形態の液晶表示装置における画素配列の概略図である。図６に示すように一画素１は、青緑青緑の順で配列された四つの絵素４ａ，３ａ，４ｂ，３ｂと、二つの絵素３ａ，４ｂと列方向に隣接する赤絵素２とから構成されている。すなわち、図６の画素配列はデルタ配列である。
【００４１】
（他の実施形態）
上記の実施形態１および２では、液晶駆動素子としてＴＦＴが用いられているが、ＭＩＭ(Metal Insulator Metal) などの他のアクティブ駆動素子を用いても良く、あるいは駆動素子を用いないパッシブ（マルチプレックス）駆動でも良い。またＴＮモードに限らず、ＩＰＳ（In-Plane Switching）モードやＭＶＡ（Multi-domain Vertical Alignment ）モードなどの他の液晶方式に適応可能である。さらに液晶表示装置は、透過型に限らず、反射型や透過反射両用型のいずれにも適用することができる。
【産業上の利用可能性】
【００４２】
本発明の表示装置は、ＬＣＤ、ＰＤＰ、無機または有機ＥＬ表示装置、ＬＥＤ表示装置、蛍光表示管、電界放出型表示装置、電気泳動表示装置、エレクトロクロミック表示装置、ＣＲＴ表示装置などの各種の表示装置に利用することができる。例えば、パソコンのディスプレイ、パチンコなどのアミューズメント機器のディスプレイ、携帯端末のディスプレイ、カラーテレビなどに利用することができる。
【図面の簡単な説明】
【００４３】
【図１】実施形態１の液晶表示装置を模式的に示す部分断面図である。
【図２】実施形態１の液晶表示装置における画素配列の概略図である。
【図３】図２の画素１を用いて斜め線を表示させた状態を模式的に示す図である。
【図４】一画素に含まれる各絵素の極性を示す図である。
【図５】第２の緑絵素用信号線６ｂと第１の青絵素用信号線７ａとの交差部付近における製造プロセスを説明する模式的な平面図である。
【図６】実施形態２の液晶表示装置における画素配列の概略図である。
【図７】一般的な画素の概略平面図である。
【図８】画素の横解像度を二倍に高めた配列を示す図である。
【図９】図８の画素を用いて斜め線を表示させた状態を模式的に示す図である。
【符号の説明】
【００４４】
１          画素
２          赤絵素（赤色カラーフィルタ層）
３          緑絵素（緑色カラーフィルタ層）
３ａ        第一緑絵素
３ｂ        第二緑絵素
４          青絵素（青色カラーフィルタ層）
４ａ        第一青絵素
４ｂ        第二青絵素
５          赤絵素用信号線
６          緑絵素用信号線
７          青絵素用信号線
１０        ＴＦＴ基板
１１        カラーフィルタ基板
１２        周辺シール材
１３        液晶層
１４，１５  偏光板
１６        絵素透明電極
１７        液晶配向膜
１８        遮光層
１９        共通透明電極
２０        液晶配向膜
３０        接続部
３１        層間絶縁膜
１０１      画素
１０２      赤絵素
１０３      緑絵素
１０４      青絵素
２０１      画素
２０２      赤絵素
２０３      緑絵素
２０４      青絵素
【図１】
2005195641.tif 000003
【図２】
2005195641.tif 000004
【図３】
2005195641.tif 000005
【図４】
2005195641.tif 000006
【図５】
2005195641.tif 000007
【図６】
2005195641.tif 000008
【図７】
2005195641.tif 000009
【図８】
2005195641.tif 000010
【図９】
2005195641.tif 000011